(57)【特許請求の範囲】
【請求項１】
ケース本体（４１）とケース蓋体（４２）とで開閉可能に構成され且つ内部に基板（２３）を格納可能な基板ケース（２４）と、遊技機本体（１）に設けられ且つ前記基板ケース（２４）を装着可能な基板ケース装着部（３０）とを備えた遊技機において、前記ケース本体（４１）と前記ケース蓋体（４２）とを閉鎖状態で封止可能で且つ所定の閉鎖封止損壊部（３３ａ）を損壊することなくその封止を解除不可能な閉鎖封止部（３３）と、前記基板ケース（２４）と前記基板ケース装着部（３０）とを装着状態で封止可能で且つ所定の装着封止損壊部（３４ａ）を損壊することなくその封止を解除不可能な装着封止部（３４）とを一体に備えた封止部材（３１）を有し、前記基板ケース（２４）側又は前記基板ケース装着部（３０）側に前記封止部材（３１）を保持する保持部（７６）を設け、前記封止部材（３１）を前記保持部（７６）に装着した状態で前記基板ケース（２４）を前記基板ケース装着部（３０）に装着したとき、前記閉鎖封止部（３３）と前記装着封止部（３４）とが共に封止状態となると共に、前記基板ケース装着部（３０）側の損壊部カバー（８３）が前記閉鎖封止損壊部（３３ａ）を覆うように構成されていることを特徴とする遊技機。
【請求項２】
前記基板ケース（２４）は前記基板ケース装着部（３０）に対して所定の着脱方向にスライドさせることにより着脱され、前記封止部材（３１）には、前記閉鎖封止部（３３）と前記装着封止部（３４）とが所定の封止方向に沿って互いに反対向きとなるように設けられ、前記保持部（７６）は、前記封止方向と前記着脱方向とが略一致し且つその方向に移動可能となるように前記封止部材（３１）を保持するように構成され、前記基板ケース（２４）を前記着脱方向の装着側にスライドさせつつ前記基板ケース装着部（３０）上の所定位置に装着したとき、前記閉鎖封止部（３３）が前記基板ケース（２４）側の閉鎖係止部（６６）に、前記装着封止部（３４）が前記基板ケース装着部（３０）側の装着係止部（８７）に夫々離脱不能に係合するように構成されていることを特徴とする請求項１に記載の遊技機。
【請求項３】
前記装着封止損壊部（３４ａ）は、前記装着封止部（３４）が前記装着係止部（８７）に係合した状態で外側から損壊可能に構成され、前記閉鎖封止部（３３）は、前記ケース本体（４１）側又は前記ケース蓋体（４２）側の挿通部（６４，６５）及び所定の損壊用スペース（２４ａ）を介して前記ケース蓋体（４２）側又は前記ケース本体（４１）側の前記閉鎖係止部（６６）に離脱不能に係合するように構成され、前記損壊用スペース（２４ａ）は損壊用開口部（４７）を介して前記基板ケース（２４）の外側と連通しており、前記損壊部カバー（８３）は、前記損壊用開口部（４７）の少なくとも前記閉鎖封止部（３３）に対応する部分を覆うように構成されていることを特徴とする請求項２に記載の遊技機。
【請求項４】
前記封止部材（３１）とそれに対応する前記保持部（７６）とを複数組備え、未使用の前記封止部材（３１）を着脱自在に保持するストック手段（６３）を前記基板ケース（２４）側又は前記基板ケース装着部（３０）側に設けたことを特徴とする請求項１〜３の何れかに記載の遊技機。
【請求項５】
前記封止部材（３１）は、前記閉鎖封止部（３３）と前記装着封止部（３４）とを両端側に一体に備えた封止本体部（３２）を有し、該封止本体部（３２）の前記保持部（７６）からの離脱を解除不能に阻止する離脱阻止手段（９６）を設けたことを特徴とする請求項４に記載の遊技機。
【請求項６】
前記保持部（７６）は、前記封止本体部（３２）が略隙間無く嵌合可能な凹入状に形成されており、前記離脱阻止手段（９６）は、前記封止本体部（３２）と前記保持部（７６）との互いの摺接面に形成された係合爪（９７）と係合穴（９８）とで構成され、前記封止本体部（３２）が前記保持部（７６）に嵌合したとき、前記係合爪（９７）と前記係合穴（９８）とが外部からの解除操作不能に係合するように構成されていることを特徴とする請求項５に記載の遊技機。
【発明の詳細な説明】
【技術分野】
【０００１】
本発明は、パチンコ機、スロットマシン等の遊技機に係り、詳しくは、ケース本体とケース蓋体とで開閉可能に構成され且つ内部に基板を格納可能な基板ケースと、遊技機本体に設けられ且つ基板ケースを装着可能な基板ケース装着部とを備えた遊技機に関するものである。
【背景技術】
【０００２】
パチンコ機等の遊技機では、各種制御基板等が基板ケースに格納された状態で本体裏側等に装着されている。一般的な基板ケースは、ケース本体とケース蓋体とを開閉可能に組み合わせることにより略箱形となるように構成されており、遊技機本体に対しては着脱容易な状態で装着されている。
【０００３】
また、遊技機の基板ケースには、制御基板に対する不正防止のための封止手段を備えたものがある。この封止手段は、ケース本体とケース蓋体とを閉鎖状態で現状復帰不能に封止するもので、一旦制御基板を格納したまま封止してしまうと、所定の損壊部を損壊して開封の痕跡を残さない限り、基板ケースを開いて内部の制御基板を取り出すことができないようになっている（例えば特許文献１）。
【０００４】
ところで、この種の遊技機の制御基板に対するゴト行為として、基板ケースの損壊部を損壊して基板ケースを開放し、内部のＲＯＭを不正ＲＯＭに交換する、或いは制御基板を基板ケースごと交換するといった行為が問題となっている。
【特許文献１】特開２００３−３８８０５号公報
【発明の開示】
【発明が解決しようとする課題】
【０００５】
上記のようなゴト行為は、遊技ホール内で他人の目を盗んで短時間で行う必要がある。その点、特許文献１に記載のような従来の遊技機では、基板ケースを遊技機本体に装着したままで損壊部を損壊して基板ケースを短時間で開放することが可能であり、また基板ケース自体の取り外しは更に短時間で行うことが可能であるため、上記のようなゴト行為を行うには好都合であったと考えられる。
【０００６】
以上のことから、上記のようなゴト行為を防止する方策としては、基板ケースの取り外し、及び基板ケースの開封に従来よりも時間と手間がかかるようにすることが有効であると考えられる。但し、ゴト行為対策を強化しても、それによる遊技機の組み立て作業等への悪影響は最小限に抑える必要がある。
【０００７】
本発明は、上記事情に鑑みてなされたものであり、その目的とするところは、基板ケースの開封に従来よりも時間と手間がかかるようにすることでゴト行為を効果的に防止できると共に、遊技機組み立て時等における封止作業を容易に行うことが可能な遊技機を提供することにある。
【課題を解決するための手段】
【０００８】
本発明は、ケース本体４１とケース蓋体４２とで開閉可能に構成され且つ内部に基板２３を格納可能な基板ケース２４と、遊技機本体１に設けられ且つ前記基板ケース２４を装着可能な基板ケース装着部３０とを備えた遊技機において、前記ケース本体４１と前記ケース蓋体４２とを閉鎖状態で封止可能で且つ所定の閉鎖封止損壊部３３ａを損壊することなくその封止を解除不可能な閉鎖封止部３３と、前記基板ケース２４と前記基板ケース装着部３０とを装着状態で封止可能で且つ所定の装着封止損壊部３４ａを損壊することなくその封止を解除不可能な装着封止部３４とを一体に備えた封止部材３１を有し、前記基板ケース２４側又は前記基板ケース装着部３０側に前記封止部材３１を保持する保持部７６を設け、前記封止部材３１を前記保持部７６に装着した状態で前記基板ケース２４を前記基板ケース装着部３０に装着したとき、前記閉鎖封止部３３と前記装着封止部３４とが共に封止状態となると共に、前記基板ケース装着部３０側の損壊部カバー８３が前記閉鎖封止損壊部３３ａを覆うように構成されているものである。
【発明の効果】
【０００９】
本発明によれば、封止部材３１を保持部７６に装着した状態で基板ケース２４を基板ケース装着部３０に装着するだけで基板ケース２４の封止と基板ケース２４の基板ケース装着部３０への封止とを完了することができ、また装着封止部３４を損壊して基板ケース２４と基板ケース装着部３０との封止状態を解除した後でなければ閉鎖封止部３３を損壊して基板ケース２４を開封することができない。このように、基板ケース２４の開封に従来よりも時間と手間がかかるようにすることでゴト行為を効果的に防止できると共に、遊技機組み立て時等における封止作業を極めて容易に行うことが可能である。
【発明を実施するための最良の形態】
【００１０】
以下、本発明の実施形態を図面に基づいて詳述する。図１〜図２０は本発明をパチンコ機に採用した第１の実施形態を例示している。なお、以下の説明における上下左右の方向については、特に基準を示さない限り遊技機本体を前側から見た場合の上下左右をいうものとする。
【００１１】
図１において、１は遊技機本体で、矩形状の外枠２と、この外枠２の前側に開閉自在に枢着された前枠３とを備えている。前枠３は左端側の上下一対のヒンジ４を介して外枠２に着脱及び開閉自在に装着されている。
【００１２】
前枠３の上部側には遊技盤５が例えば前側から着脱自在に装着されると共に、遊技盤５の前側にガラス扉６が、ガラス扉６の下側に隣接して前面開閉板７が夫々配置されている。ガラス扉６、前面開閉板７はヒンジ４と同一側のヒンジ（図示省略）により前枠３に開閉自在に枢支されている。前面開閉板７には、その前側に、発射手段８に供給するための遊技球を貯留する貯留皿９、発射手段８を作動させるための発射ハンドル１０等が設けられている。
【００１３】
遊技盤５の前側には、発射手段８により発射された遊技球を案内するガイドレール１１が環状に装着されると共に、そのガイドレール１１内の遊技領域１２には、画像表示手段１３を備えたセンターケース１４の他、通過ゲート１５、開閉式入賞手段１６、大入賞手段１７、普通入賞手段１８等の各種遊技部品が装着されている。
【００１４】
また、遊技盤５の裏側には、図２に示すように、センターケース１４等の遊技部品を後側から覆う裏カバー２１と集球ケース２２とが上下に配置され、例えば集球ケース２２の背面側に主制御基板２３が格納された主基板ケース２４が、裏カバー２１の背面側に演出制御基板２５が格納された演出基板ケース２６、液晶制御基板２７が格納された液晶基板ケース２８が夫々着脱自在に装着されている。
【００１５】
集球ケース２２は、開閉式入賞手段１６、大入賞手段１７、普通入賞手段１８等に入賞して遊技盤５の裏側に案内された遊技球を集めて排出口２９から回収通路（図示省略）側へと案内するためのもので、図３、図４等に示すように上面側と前面側とが開放した略箱形に形成されており、裏カバー２１の下側に近接して配置され、遊技盤５の裏側に着脱自在に固定されている。集球ケース２２の背面２２ａ側には、例えばその略中央に主基板ケース２４を着脱自在に装着可能な主基板ケース装着部３０が設けられており、主基板ケース２４と主基板ケース装着部３０とは装着状態で封止部材３１により封止されるようになっている。
【００１６】
封止部材３１は、基板ケース２４と主基板ケース装着部３０とを装着状態で封止すると同時に基板ケース２４を閉鎖状態で封止するもので、図５〜図７に示すように、封止本体部３２と、この封止本体部３２の前後両端側に夫々一体に設けられた閉鎖封止ピン（閉鎖封止部）３３及び装着封止ピン（装着封止部）３４とを備えている。
【００１７】
封止本体部３２は、矩形状の底壁部３５と、この底壁部３５の外縁側から一面側に突設される四つの周壁部３６ａ〜３６ｄとで底壁部３５の対向面側が開放した矩形箱形に形成されており、四つの周壁部３６ａ〜３６ｄのうち、互いに対向する一対の前周壁部３６ａ，後周壁部３６ｂに夫々閉鎖封止ピン３３，装着封止ピン３４が設けられている。
【００１８】
閉鎖封止ピン３３と装着封止ピン３４とは、例えば前周壁部３６ａ，後周壁部３６ｂの夫々の中心を通る直線上に配置され、互いに反対向きとなるように各周壁部３６ａ，３６ｂから外向きに突設されており、断面矩形状の軸部３３ａ，３４ａと、その軸部３３ａ，３４ａの先端側に設けられた略台形状の係合頭部３３ｂ，３４ｂとを一体に備えている。なお、本実施形態では、閉鎖封止ピン３３側の軸部３３ａの方が装着封止ピン３４側の軸部３４ａよりも長くなっている。
【００１９】
また、封止本体部３２には、四つの周壁部３６ａ〜３６ｄのうち、互いに対向する一対の側壁部３６ｃ，３６ｄ上の例えば底壁部３５側端部近傍に、内外に貫通する係合孔３７が夫々設けられている。また、側壁部３６ｃ，３６ｄの内面側には、底壁部３５に対向する開口部３８側から係合孔３７にかけて案内レール３９が設けられている。この案内レール３９は、係合孔３７を挟んで前周壁部３６ａ側と後周壁部３６ｂ側とに配置された一対の突条部３９ａ，３９ａで構成されており、開口部３８側端部には案内傾斜部３９ｂが形成されている。
【００２０】
主基板ケース装着部３０に装着される主基板ケース２４は、例えば前後方向に扁平で且つ左右方向に長い略矩形状の箱形で、図４に示すように、互いに係脱可能なケース本体４１とケース蓋体４２とで構成されており、例えばその全体が透明な合成樹脂により成型されている。それらケース本体４１とケース蓋体４２とは、例えば左右方向一端側（ここでは右端側）においてヒンジ手段４３により係脱及び開閉自在に連結され、左右方向他端側（ここでは左端側）において封止部材３１により閉鎖状態で封止されるようになっている。
【００２１】
ケース本体４１は、略矩形板状の底板４４と、この底板４４の外縁側からケース蓋体４２側に向けて突設される上下左右の外枠板４５ａ〜４５ｄと、左右一端側、例えば左端側の左外枠板４５ｃの内側所定距離の位置にその左外枠板４５ｃと平行に配置される仕切板４６とを一体に備え、外枠板４５ａ〜４５ｄにより取り囲まれた領域のうち、仕切板４６よりも左外枠板４５ｃ側の狭い領域が損壊用スペース２４ａ、右外枠板４５ｄ側の広い領域が基板収容部２４ｂとなっている。
【００２２】
また、ケース蓋体４２は、ケース本体４１側の底板４４に対向する天板５１と、その天板５１の外縁側からケース本体４１側に向けて突設される上下左右の内枠板５２ａ〜５２ｄとを一体に備え、主制御基板２３がその電子部品装着面２３ａを天板５１側に向けた状態で例えば天板５１の内面側に着脱自在に固定されている。そして、ケース蓋体４２は、内枠板５２ａ〜５２ｄが夫々ケース本体４１側の上外枠板４５ａ，下外枠板４５ｂ，仕切板４６，右外枠板４５ｄの内側に嵌合して、基板収容部２４ｂを後側から略閉鎖するようにケース本体４１側に装着されるようになっている。
【００２３】
このように、主基板ケース２４の損壊用スペース２４ａと基板収容部２４ｂのうち、主制御基板２３が収容される基板収容部２４ｂのみがケース本体４１とケース蓋体４２とで略閉鎖されており、ケース本体４１側の損壊用スペース２４ａは損壊用開口部４７を介して主基板ケース２４の外側と連通している。
【００２４】
天板５１は、主制御基板２３の電子部品装着面２３ａ側に設けられたＣＰＵ，ＲＯＭ，ＲＡＭ等の電子部品５３に対応する中央部分が膨出部５１ａ、その周辺部が膨出部５１ａよりも低い凹部５１ｂとなっており、この凹部５１ｂに、主制御基板２３側のコネクタ５４が内側から嵌合するコネクタ嵌合孔５５が形成されている。
【００２５】
ヒンジ手段４３は、例えばケース蓋体４２の一端側、例えば右端側に一体に形成された上下一対のヒンジピン４３ａと、このヒンジピン４３ａに対応してケース本体４１の一端側、例えば右端側に一体に形成され且つヒンジピン４３ａに係脱、回動自在に係合する上下一対の係合片４３ｂとで構成されている。ヒンジピン４３ａは、右内枠板５２ｄから外向きに突設された一対のヒンジ支持板５６によりその両端側で一体に支持されている。
【００２６】
係合片４３ｂは、ケース本体４１の右外枠板４５ｄから外向きに突設されており、ケース蓋体４２側の右内枠板５２ｄとヒンジピン４３ａとの間からヒンジピン４３ａの後側に係脱自在に係合するようになっている。なお、ケース本体４１の右外枠板４５ｄには、係合片４３ｂの両側にスリット５７が形成されており、係合片４３ｂがヒンジピン４３ａに係合してケース本体４１とケース蓋体４２とが結合したとき、ケース蓋体４２側のヒンジ支持板５６がスリット５７に嵌合するようになっている。
【００２７】
また、図８〜図１４に示すように、主基板ケース２４には、ヒンジ手段４３に対応してその反対の端部側（ここでは左端側）に、封止部材３１の閉鎖封止ピン３３による封止を受ける一又は複数組、例えば四組の閉鎖封止受け手段６１と、それら閉鎖封止受け手段６１に対応して夫々封止部材３１を保持する封止部材保持手段６２と、未使用の封止部材３１を着脱自在に保持するストック手段６３とが設けられている。
【００２８】
閉鎖封止受け手段６１は、ケース本体４１側の左外枠板４５ｃに設けられる第１挿通部６４と、ケース本体４１側の仕切板４６に設けられる第２挿通部６５と、ケース蓋体４２側の左内枠板５２ｃに設けられる閉鎖係止部６６とで構成されている。
【００２９】
第１挿通部６４は、例えば左外枠板４５ｃの長手方向に直交する方向（前後方向）に形成された挿通スリット６７と、この挿通スリット６７の両側に配置される一対の弾性変形部６８とを備えている。挿通スリット６７には、その長手方向中央部に、閉鎖封止ピン３３の軸部３３ａと略同じ幅に拡幅された封止ピン挿通部６７ａが形成されている。なお、各挿通スリット６７の両側には逃げ用スリット７０が形成されており、その隣り合うスリット６７，７０間が弾性変形部６８となっている。
【００３０】
第２挿通部６５は、閉鎖封止ピン３３の係合頭部３３ｂが通過可能な例えば矩形状の貫通孔で、各封止ピン挿通部６７ａの封止方向、即ち左外枠板４５ｃに垂直な方向に対応して仕切板４６上に設けられている。
【００３１】
閉鎖係止部６６は、第１挿通部６４及び第２挿通部６５の封止方向に対応してケース蓋体４２側の左内枠板５２ｃに設けられており、例えば左内枠板５２ｃの長手方向に直交する方向（前後方向）に形成された挿通スリット７１と、この挿通スリット７１の両側に配置される一対の弾性係合部７２とを備えている。挿通スリット７１には、その長手方向中央部に、閉鎖封止ピン３３の軸部３３ａと略同じ幅に拡幅された封止ピン挿通部７１ａが形成されている。なお、各挿通スリット７１の両側には逃げ用スリット７４が形成されており、その隣り合うスリット７１，７４間が弾性係合部７２となっている。
【００３２】
封止部材保持手段６２は、封止部材３１を封止方向にスライド可能に保持するもので、閉鎖封止受け手段６１に対応して例えばケース本体４１の左外枠板４５ｃの外面側に一体に設けられており、図４等に示すように、第１挿通部６４を取り囲む矩形枠状に形成され且つ左外枠板４５ｃから外向きに突設される外周壁７５と、この外周壁７５内を各第１挿通部６４に対応する複数の保持筒部（保持部）７６に区分する区分壁７７とで構成されている。
【００３３】
保持筒部７６は、封止方向の矩形筒状に形成されており、閉鎖封止ピン３３及び装着封止ピン３４を封止方向に向けた状態で封止部材３１の封止本体部３２を摺動自在に保持可能となっている。
【００３４】
ストック手段６３は、複数組（ここでは四組）の閉鎖封止受け手段６１に対応して複数個（四個）用意される封止部材３１のうち、使用済み又は使用中以外の未使用の封止部材３１をストックしておくためのもので、当初用意される封止部材３１の個数よりも一個少ない例えば三個設けられ、図４等に示すように、例えばケース本体４１の左外枠板４５ｃの外面側に封止部材保持手段６２に隣接して配置されている。
【００３５】
各ストック手段６３は、図８，図１３，図１４に示すように、例えば左外枠板４５ｃから外向きに突設された一対の保持爪７８により構成されている。この保持爪７８は、封止部材３１側の案内レール３９に対応して配置されており、その先端側には、封止部材３１側の係合孔３７に内側から係脱自在に係合する略三角形状の係合部７８ａが設けられている。
【００３６】
未使用の封止部材３１は、図１３，図１４に示すように、例えば装着封止ピン３４を主基板ケース装着部３０側、閉鎖封止ピン３３をケース蓋体４２側に夫々向けた状態で、封止本体部３２の係合孔３７に保持爪７８の係合部７８ａを内側から係合させることによりストック手段６３により保持される。なお、封止部材３１をストック手段６３に装着する際には、保持爪７８の係合部７８ａが封止本体部３２の開口部３８側から係合孔３７まで案内レール３９に沿って案内される。封止部材３１をストック手段６３から取り外す際には、係合孔３７に内側から係合している係合部７８ａを係合孔３７の外側から内向きに押圧してその係合を解除しつつ封止本体部３２を保持爪７８から引き抜けばよい。
【００３７】
主基板ケース装着部３０は、例えば集球ケース２２の背面２２ａ側に一体に設けられており、図４等に示すように、その背面２２ａから主基板ケース２４側の上下の外枠板４５ａ，４５ｂに沿って立設される一対の案内壁８１と、これら上下の案内壁８１，８１の左右方向一端側を互いに連結するように、集球ケース２２の背面２２ａから主基板ケース２４の閉鎖封止受け手段６１側端部に沿って立設される封止壁８２と、例えば封止壁８２と一体に設けられた損壊部カバー８３と、例えば集球ケース２２の背面２２ａに一体に設けられた基板ケース係止手段８４とを備えている。
【００３８】
案内壁８１は、主基板ケース装着部３０に装着された主基板ケース２４をその上下方向に保持すると共に、主基板ケース２４の着脱時には主基板ケース２４をその着脱方向（左右方向）に案内するもので、例えば封止壁８２とは反対側の端部に、主基板ケース２４の一端側（ここでは右端側）を前後方向に保持するための係合部８５が、着脱方向の切り込み状に形成されている。なお、主基板ケース２４側には、主基板ケース装着部３０への装着時に係合部８５に係合する係合片８６が、例えばケース本体４１の上下の外枠板４５ａ，４５ｂに外向き突出状に一体形成されている。
【００３９】
封止壁８２は、主基板ケース２４を主基板ケース装着部３０に装着したときに封止部材保持手段６２の端部が当接又は近接するようになっており、主基板ケース２４側の閉鎖封止受け手段６１に対応して装着係止部８７が設けられている。
【００４０】
装着係止部８７は、封止部材保持手段６２を挟んで主基板ケース２４側の閉鎖封止受け手段６１と反対側に配置されており、例えば封止壁８２の長手方向に直交する方向（前後方向）に形成された挿通スリット９１と、この挿通スリット９１の両側に配置される一対の弾性係合部９２とを備えている。挿通スリット９１には、その長手方向中央部に、装着封止ピン３４の軸部３４ａと略同じ幅に拡幅された封止ピン挿通部９１ａが形成されている。なお、各挿通スリット９１の両側には逃げ用スリット９４が形成されており、その隣り合うスリット９１，９４間が弾性係合部９２となっている。
【００４１】
損壊部カバー８３は、主基板ケース２４側の損壊用開口部４７を覆うと共に主基板ケース２４の一端側（ここでは左端側）を前後方向に保持するもので、例えば封止壁８２の後縁側から集球ケース２２の背面２２ａと略平行に主基板ケース２４側に突設されている。なお、損壊部カバー８３は、損壊用開口部４７のうち、閉鎖封止ピン３３に対応する部分のみを覆うように、封止部材保持手段６２に対応する幅で突設されており、その両側はストック手段６３に装着された封止部材３１が嵌合する切り欠き部９５となっている。
【００４２】
基板ケース係止手段８４は、主基板ケース装着部３０に装着された主基板ケース２４の離脱方向への移動を規制するもので、例えば集球ケース２２の背面２２ａに略コの字状のスリットが形成されてその内側の弾性変形可能な部分がこの基板ケース係止手段８４となっており、その先端側に、主基板ケース装着部３０に装着された主基板ケース２４の左右方向一端側（ここでは右端側）に係脱自在に係合する略三角形状の係合部８４ａが一体に設けられている。
【００４３】
主基板ケース２４を主基板ケース装着部３０に装着するに先立って、主制御基板２３を主基板ケース２４に収容する際には、まず主制御基板２３をケース蓋体４２側にねじ止め等により固定する。そして、図１５に示すように、ケース蓋体４２側のヒンジピン４３ａにケース本体４１側の係合片４３ｂを内側から引っ掛け、それを中心に両者を互いに近づける方向に相対的に回転させて、ケース蓋体４２をケース本体４１側の基板収容部２４ｂの内側に嵌合させて閉鎖状態とする。これにより、図１６に示すように、主制御基板２３は基板収容部２４ｂ内に収容され、またケース蓋体４２側の左内枠板５２ｃがケース本体４１側の仕切板４６の内側に重なり、左内枠板５２ｃ上の閉鎖係止部６６、仕切板４６上の第２挿通部６５、左外枠板４５ｃ上の第１挿通部６４及び封止部材保持手段６２の保持筒部７６が封止方向に一列状に整列した状態となる。
【００４４】
閉鎖した主基板ケース２４を主基板ケース装着部３０に装着する際には、閉鎖封止受け手段６１と同数（ここでは四個）用意された封止部材３１のうち、ストック手段６３に装着されていない一個を、四個の保持筒部７６のうちの一つに対して閉鎖封止ピン３３側から挿入し、例えば閉鎖封止ピン３３の係合頭部３３ｂを第１挿通部６４に挿通させて仮止め状態とする（図１６→図１７）。このとき、係合頭部３３ｂが左右の弾性変形部６８を外向きに押し広げながら挿通スリット６７内に進入し、挿通スリット６７を通過すると、係合頭部３３ｂが弾性変形部６８に係合して離脱不能となる。ここで、封止部材３１を保持筒部７６に挿入する際の封止部材３１側の表裏の向きはどちらでもよいが、本実施形態では開口部３８が後側、即ちケース蓋体４２側に向くようにしている。
【００４５】
なお、この時点ではまだ閉鎖封止ピン３３を第１挿通部６４に挿通させなくてもよいが、閉鎖封止ピン３３を第１挿通部６４に挿通させれば、封止部材３１が第１挿通部６４に対して離脱不能となるため、主基板ケース２４を主基板ケース装着部３０に装着する際に封止部材３１が誤って落下することがなく、作業を確実に進めることができる。
【００４６】
そして、図１７に示すように、封止部材３１を仮止めした状態の主基板ケース２４を、ケース本体４１側の底板４４を集球ケース２２の背面２２ａに沿わせるように主基板ケース装着部３０に後側から嵌め込み、上下の案内壁８１，８１に沿って封止壁８２側にスライドさせる。これにより、封止部材３１は主基板ケース２４側の閉鎖封止受け手段６１と主基板ケース装着部３０側の装着係止部８７とに挟まれ、しかもそれらの間隔が徐々に狭まるため、閉鎖封止ピン３３はケース本体４１側の第２挿通部６５を通過してケース蓋体４２側の閉鎖係止部６６に、装着封止ピン３４は主基板ケース装着部３０側の装着係止部８７に、夫々圧入される。
【００４７】
そして、主基板ケース２４が主基板ケース装着部３０上の所定位置に到達して、基板ケース係止手段８４の係合部８４ａが主基板ケース２４に係合したとき、閉鎖封止ピン３３の係合頭部３３ｂが挿通スリット７１を通過して弾性係合部７２に離脱不能に係合し、同時に装着封止ピン３４の係合頭部３４ｂが挿通スリット９１を通過して弾性係合部９２に離脱不能に係合する。これにより、図１８に示すように主基板ケース２４のケース本体４１とケース蓋体４２とが閉鎖封止ピン３３により閉鎖状態で封止され、また主基板ケース２４と主基板ケース装着部３０とが装着封止ピン３４により装着状態で封止される。
【００４８】
またこのとき、損壊用スペース２４ａの損壊用開口部４７は、閉鎖封止ピン３３の軸部３３ａに対応する部分が損壊部カバー８３により閉鎖されているため、主基板ケース２４を主基板ケース装着部３０に封止した状態のままで閉鎖封止ピン３３を損壊することはできない。
【００４９】
主基板ケース２４を開封する際には、まず装着係止部８７に係合している装着封止ピン３４の軸部（装着封止損壊部）３４ａを封止壁８２の外側から切断して係合頭部３４ｂを除去することにより封止を解除し、更に主基板ケース２４に係合している基板ケース係止手段８４の主基板ケース２４に対する係合を解除した状態で、図１９に示すように主基板ケース２４を離脱方向にスライドさせ、主基板ケース２４を主基板ケース装着部３０から取り外す。
【００５０】
これにより、損壊部カバー８３により閉鎖されていた損壊用開口部４７が開放されるため、この損壊用開口部４７からニッパー等により閉鎖封止ピン３３の軸部（閉鎖封止損壊部）３３ａを切断して封止を解除することにより、図２０に示すようにケース蓋体４２をケース本体４１から取り外して主基板ケース２４を開放することができる。
【００５１】
以上説明したように、本実施形態のパチンコ機では、ケース本体４１とケース蓋体４２とを閉鎖状態で封止可能で且つ軸部３３ａを損壊することなくその封止を解除不可能な閉鎖封止ピン３３と、基板ケース２４と主基板ケース装着部３０とを装着状態で封止可能で且つ軸部３４ａを損壊することなくその封止を解除不可能な装着封止ピン３４とを一体に備えた封止部材３１を有し、主基板ケース２４側に封止部材３１を保持する保持筒部７６を設け、封止部材３１を保持筒部７６に装着した状態で主基板ケース２４を主基板ケース装着部３０に装着したとき、閉鎖封止ピン３３と装着封止ピン３４とが共に封止状態となると共に、主基板ケース装着部３０側の損壊部カバー８３が閉鎖封止ピン３３の軸部３３ａを覆うように構成されているため、封止部材３１を保持筒部７６に装着した状態で主基板ケース２４を主基板ケース装着部３０に装着するだけで主基板ケース２４の封止と主基板ケース２４の主基板ケース装着部３０への封止とを完了することができ、また装着封止ピン３４を切断して基板ケース２４と主基板ケース装着部３０との封止状態を解除した後でなければ閉鎖封止ピン３３を切断して基板ケース２４を開封することができない。このように、主基板ケース２４の開封に従来よりも時間と手間がかかるようにすることでゴト行為を効果的に防止できると共に、遊技機組み立て時等における封止作業を極めて容易に行うことが可能である。
【００５２】
また、主基板ケース２４は主基板ケース装着部３０に対して所定の着脱方向（左右方向）にスライドさせることにより着脱され、封止部材３１には、閉鎖封止ピン３３と装着封止ピン３４とが所定の封止方向（左右方向）に沿って互いに反対向きとなるように設けられ、保持筒部７６は、封止方向と装着方向とが略一致し且つその方向に移動可能となるように封止部材３１を保持するように構成され、主基板ケース２４を着脱方向の装着側にスライドさせつつ主基板ケース装着部３０上の所定位置に装着したとき、閉鎖封止ピン３３が基板ケース２４側の閉鎖係止部６６に、装着封止ピン３４が主基板ケース装着部３０側の装着係止部８７に夫々離脱不能に係合するように構成されているため、基板ケース２４を主基板ケース装着部３０に対してスライドさせるだけのワンアクションで、主基板ケース２４の封止と主基板ケース２４の主基板ケース装着部３０への封止とを容易且つ確実に行うことができる。
【００５３】
装着封止ピン３４の軸部３４ａは、装着封止ピン３４が装着係止部８７に係合した状態で外側から損壊可能に構成され、閉鎖封止ピン３３は、ケース本体４１側の第１，第２挿通部６４，６５及び損壊用スペース２４ａを介してケース蓋体４２側の閉鎖係止部６６に離脱不能に係合するように構成され、損壊用スペース２４ａは損壊用開口部４７を介して主基板ケース２４の外側と連通しており、損壊部カバー８３は、損壊用開口部４７の少なくとも閉鎖封止ピン３３に対応する部分を覆うように構成されているため、主基板ケース２４を主基板ケース装着部３０に封止した状態での閉鎖封止ピン３３の損壊を確実に防止することができ、また主基板ケース２４を主基板ケース装着部３０から取り外した状態では閉鎖封止ピン３３を容易に損壊することが可能である。
【００５４】
封止部材３１とそれに対応する保持筒部７６とを複数組備え、未使用の封止部材３１を着脱自在に保持するストック手段６３を主基板ケース２４側に設けているため、未使用の封止部材３１の紛失等を防止でき、また未使用の封止部材３１が主基板ケース２４上にストックされていることで開封後の再封止作業を容易に行える利点がある。
【００５５】
図２１は本発明の第２の実施形態を例示し、封止本体部３２の保持筒部７６からの離脱を解除不能に阻止する離脱阻止手段９６を設けた例を示している。
【００５６】
離脱阻止手段９６は、封止部材３１の封止本体部３２と保持筒部７６との互いの摺接面に形成された係合爪９７と係合穴９８とで構成されており、図２１に示すように、例えば係合爪９７は封止本体部３２の底壁部３５上に外向き突出状に設けられ、係合穴９８はその係合爪９７に対応して保持筒部７６の内面側に凹入状に設けられている。なお、封止本体部３２の底壁部３５には、例えば略コの字状のスリットが形成されてその内側の弾性変形可能な部分が係合爪９７となっている。
【００５７】
保持筒部７６は、封止本体部３２が略隙間無く嵌合可能な凹入状に形成されているため、封止部材３１による封止が完了した状態では、封止本体部３２が保持筒部７６内に嵌合して係合爪９７が係合穴９８に係合し、外からはその係合爪９７の係合を解除することができないため、装着封止ピン３４と閉鎖封止ピン３３とを切断して封止が解除された後も、封止本体部３２は保持筒部７６内に残ったままとなる。従って、保持筒部７６内に残る封止本体部３２の数を見れば過去に何回開封が行われたかを知ることができ、開封の履歴を確実に残すことが可能である。
【００５８】
図２２は本発明の第３の実施形態を例示し、封止部材３１を保持筒部７６に対して誤った向きに装着できないように構成した例を示している。
【００５９】
本実施形態では、図２２（Ａ）に示すように、封止部材３１側に突起部９９を、保持筒部７６側に突起部９９に対応する係合凹部１００を夫々設けている。突起部９９は、封止本体部３２上の保持筒部７６への装着方向後端側、即ち後周壁部３６ｂ側に装着方向に直交する方向に突設されており、係合凹部１００は、保持筒部７６の挿入側端部に切欠状に形成されている。
【００６０】
これにより、封止部材３１を保持筒部７６に対して正しい向き、即ち閉鎖封止ピン３３側から挿入した場合には、図２２（Ｂ）に示すように、封止部材３１が保持筒部７６の奥まで到達したときに、封止部材３１側の突起部９９が保持筒部７６側の係合凹部１００に係合すると共に係合頭部３３ｂが閉鎖係止部６６に係合し、逆に封止部材３１を保持筒部７６に対して誤った向き、即ち装着封止ピン３４側から挿入しようとした場合には、図２２（Ｃ）に示すように、封止本体部３２が保持筒部７６内に入る前に突起部９９が係合凹部１００に係合してそれ以上挿入することができない。
【００６１】
以上のような構成とすることにより、封止部材３１の装着間違いを防止して常に正しく封止操作を行うことが可能となる。
【００６２】
以上、本発明の実施形態について詳述したが、本発明はこれらの実施形態に限定されるものではなく、本発明の趣旨を逸脱しない範囲で種々の変更が可能である。例えば、実施形態では、ケース本体４１に対するケース蓋体４２の開閉方向と封止部材３１による封止方向とが異なっていたが、ケース本体４１とケース蓋体４２とを封止部材３１による封止方向と略一致する方向に相対的にスライドさせて開閉するように構成してもよい。このように構成することにより、閉鎖封止部３３が封止状態になれば、その閉鎖封止部３３によってケース蓋体４２のケース本体４１に対する開方向へのスライドを阻止することができ、主基板ケース装着部３０への主基板ケース２４の装着状態をより安定させることができる。
【００６３】
保持部７６はケース蓋体４２側に設けてもよいし、主基板ケース装着部３０側に設けてもよい。また、保持部７６は、封止部材３１を封止方向に移動可能に保持できるものであればよく、必ずしも筒状でなくてもよい。
【００６４】
封止部材３１を保持部７６に対して誤った向きに装着できない構成としては、第３の実施形態のように、封止部材３１を逆向きに挿入しようとする場合に保持部７６側の所定部位に干渉してそれを妨害する突起部、鍔部等を封止部材３１側に設けるものの他、例えば保持筒部７６と封止部材３１側の封止本体部３２とを互いに対応するテーパー状に形成してもよいし、係合頭部３３ｂと係合頭部３４ｂの形状、大きさ、向きなどを異ならせてもよいし、それらを組み合わせてもよい。
【００６５】
ストック手段６３は、ケース蓋体４２側に設けてもよいし、主基板ケース装着部３０側に設けてもよい。また、ストック手段６３は封止部材３１を着脱可能に保持できるものであればよく、保持爪７８以外の任意の構成を採用可能である。
【００６６】
第２の実施形態で示した離脱阻止手段９６を構成する係合爪９７及び係合穴９８は、外部からの操作では取り外すことができないように互いに係合するものであればよく、例えば係合爪９７を保持部７６側に、係合穴９８を封止本体部３２側に設けてもよい。
【００６７】
実施形態では、損壊用開口部４７を主基板ケース２４上における主基板ケース装着部３０とは反対側に設け、その損壊用開口部４７を略覆う損壊部カバー８３を主基板ケース装着部３０に一体に設けたが、例えば損壊用開口部４７を主基板ケース２４上における主基板ケース装着部３０側に設ければ、主基板ケース装着部３０が設けられている集球ケース２２の背面２２ａが損壊部カバー８３として機能するため、損壊部カバー８３を別途設ける必要がない。またこの場合も、基板ケース２４と主基板ケース装着部３０との封止状態を解除して主基板ケース２４を主基板ケース装着部３０から取り外した後でなければ主基板ケース２４を開封することができず、実施形態と同様にゴト行為を効果的に防止できる。このように、損壊部カバー８３は、主基板ケース２４を基板ケース装着部３０側に封止した状態で閉鎖封止損壊部３３ａを覆うものであれば基板ケース装着部３０側にどのように設けてもよい。
【００６８】
実施形態では、主制御基板２３を格納した主基板ケース２４について例示したが、演出基板ケース等の他の基板ケースについても同様に適用可能である。また、実施形態では本発明をパチンコ機に適用した例を示したが、アレンジボール機、スロットマシン等の各種遊技機において同様に実施可能であることは言うまでもない。
【図面の簡単な説明】
【００６９】
【図１】本発明の第１の実施形態を示すパチンコ機の全体正面図である。
【図２】遊技盤の背面図である。
【図３】集球ケース及び主基板ケースの斜視図である。
【図４】集球ケース及び主基板ケースの分解斜視図である。
【図５】封止部材の底面図である。
【図６】図５におけるＡ−Ａ断面図である。
【図７】図５におけるＢ−Ｂ断面図である。
【図８】ケース本体の側面図である。
【図９】ケース本体の側面断面図である。
【図１０】ケース蓋体の側面図である。
【図１１】主基板ケース装着部の側面図である。
【図１２】主基板ケース装着部及び主基板ケースの底面断面図である。
【図１３】主基板ケース装着部及び主基板ケースの側面断面図である。
【図１４】主基板ケース装着部及び主基板ケースの背面断面図である。
【図１５】主基板ケースの閉鎖・封止手順を示す第１ステップの説明図である。
【図１６】主基板ケースの閉鎖・封止手順を示す第２ステップの説明図である。
【図１７】主基板ケースの閉鎖・封止手順を示す第３ステップの説明図である。
【図１８】主基板ケースの閉鎖・封止が完了した状態を示す説明図である。
【図１９】主基板ケースの開封手順を示す第１ステップの説明図である。
【図２０】主基板ケースの開封手順を示す第２ステップの説明図である。
【図２１】本発明の第２の実施形態を示す主基板ケース装着部及び主基板ケースの要部底面断面図である。
【図２２】本発明の第３の実施形態を示す説明図である。
【符号の説明】
【００７０】
１    遊技機本体
２３    主制御基板（基板）
２４    主基板ケース（基板ケース）
２４ａ  損壊用スペース
３０    主基板ケース装着部（基板ケース装着部）
３１    封止部材
３２    封止本体部
３３    閉鎖封止ピン（閉鎖封止部）
３３ａ  軸部（閉鎖封止損壊部）
３４    装着封止ピン（装着封止部）
３４ａ  軸部（装着封止損壊部）
４１    ケース本体
４２    ケース蓋体
４７    損壊用開口部
６３    ストック手段
６４    第１挿通部
６５    第２挿通部
６６    閉鎖係止部
７６    保持筒部（保持部）
８３    損壊部カバー
８７    装着係止部
９６    離脱阻止手段
９７    係合爪
９８    係合穴
【図１】
0004646963.tif 000002
【図２】
0004646963.tif 000003
【図３】
0004646963.tif 000004
【図４】
0004646963.tif 000005
【図５】
0004646963.tif 000006
【図６】
0004646963.tif 000007
【図７】
0004646963.tif 000008
【図８】
0004646963.tif 000009
【図９】
0004646963.tif 000010
【図１０】
0004646963.tif 000011
【図１１】
0004646963.tif 000012
【図１２】
0004646963.tif 000013
【図１３】
0004646963.tif 000014
【図１４】
0004646963.tif 000015
【図１５】
0004646963.tif 000016
【図１６】
0004646963.tif 000017
【図１７】
0004646963.tif 000018
【図１８】
0004646963.tif 000019
【図１９】
0004646963.tif 000020
【図２０】
0004646963.tif 000021
【図２１】
0004646963.tif 000022
【図２２】
0004646963.tif 000023